(57)【要約】【課題】使用済みの粘着テープをはがしやすく、粘着テープ面を無駄なく使用できる粘着テープロールおよびその製造方法を提供する。【解決手段】帯状のシート材料の片面側が粘着面１４とされた粘着テープ１２が、粘着面１４が外側に向くように巻回され、粘着テープ１２には、ロールの各周毎に、ロールの軸方向一端側から他端側に達する切込み１６が、ロールの一周以上の長さを単位として、隣り合う巻回層位置で周方向に沿って異なる角度位置に形成されている。ロールの隣り合う各周に形成された各切込み１６のなす角度θは、ロールの中心軸１８の周りに５°から１８０°、好ましくは０°から９０°とされる。【選択図】        図１
2004261417.tif 000002
【特許請求の範囲】
【請求項１】
帯状のシート材料の片面側に粘着面が形成された粘着テープを、前記粘着面が外側に向くように巻回してある粘着テープロールであって、
前記粘着テープには、ロールの一周以上の長さを単位として、ロールの軸方向一端側から他端側に達する切込みが形成され、
前記切り込みは、隣り合う巻回層位置で周方向に沿って異なる角度位置に形成されていることを特徴とする粘着テープロール。
【請求項２】
請求項１に記載の粘着テープロールにおいて、
ロールの隣り合う巻回層位置に形成された前記切込みは、ロールの中心軸の周りに５°から１８０°の角度をなすように配置されていることを特徴とする粘着テープロール。
【請求項３】
請求項１または請求項２に記載の粘着テープロールにおいて、
前記粘着テープにおける粘着面が形成してある表面には、前記切込みに沿って少なくとも一部に、他の部分とは異なる色が着色してあることを特徴とする粘着テープロール。
【請求項４】
請求項１〜３のいずれかに記載の粘着テープロールの製造方法であって、
帯状シート材料を一方のロール芯から他方のロール芯に巻取りつつ、前記帯状シート材料の、巻取られる際に外側となる片面の一定の幅に粘着材料を塗布して粘着テープを構成し、
帯状シート材料の巻取り方向に直交する方向または直交方向に対して斜めになる方向に、前記粘着材料を塗布した部分を含み、かつ粘着テープロールの軸方向の長さより長く、しかも帯状シート材料の幅より短くなるように所定の長さの切込みを入れ、
他方のロールに所定の長さ巻取った後、粘着テープロールの軸方向の長さ毎に裁断することを特徴とする粘着テープロールの製造方法。
【発明の詳細な説明】
【０００１】
【発明の属する技術分野】
本発明は、主として掃除用に使用される粘着テープロールおよびその製造方法の改良に関する。
【０００２】
【従来の技術】
従来より、カーペット、床等を掃除するために粘着テープロールが使用されている。この粘着テープロールとしては、粘着テープを、粘着面が外側になる状態で円筒状の巻芯に巻取ってある。このような例が、以下に示す特許文献１に開示されている。
【０００３】
また、粘着テープを円筒状の巻芯に斜め巻きした粘着テープロールが以下に示す特許文献２に開示されている。
【０００４】
【特許文献１】特開２００２−３６３５１８号公報
【特許文献２】特開２００２−３４５７０８号公報
【発明が解決しようとする課題】
しかし、上記従来の技術のうち、粘着テープを粘着面が外側になる状態で円筒状の巻芯に巻取った粘着テープロールでは、使用済みで外周面に塵埃が付着した粘着テープを破り取る必要があるが、粘着テープをきれいに破れないという問題があった。この問題に対して、ミシン目を形成する等の対策があるが、必ずしも十分とは言えなかった。
【０００５】
また、粘着テープを円筒状の巻芯に斜め巻きした粘着テープロールでは、使用後の粘着テープのはがし作業は行いやすいが、斜め巻きした各粘着テープの両側面に粘着性のない部分があり、塵埃の粘着面積が減少するという問題があった。
【０００６】
本発明は、上記従来の課題に鑑みなされたものであり、その目的は、使用済みの粘着テープをはがしやすく、粘着テープ面を無駄なく使用できる粘着テープロールおよびその製造方法を提供することにある。
【０００７】
【課題を解決するための手段】
上記目的を達成するために、本発明の粘着テープロールは、
帯状のシート材料の片面側に粘着面が形成された粘着テープを、前記粘着面が外側に向くように巻回してある粘着テープロールであって、
前記粘着テープには、ロールの一周以上の長さを単位として、ロールの軸方向一端側から他端側に達する切込みが形成され、
前記切り込みは、隣り合う巻回層位置で周方向に沿って異なる角度位置に形成されていることを特徴とする。
【０００８】
上記各構成によれば、粘着テープに切込みが形成されているので、使用後に粘着テープをはがしやすい。また、切込みの位置が、ロールの一周以上の位置に形成してあり、しかも、ロールの隣り合う巻回層位置毎に異なっているので、ロールがばらけることはなく、しかも粘着テープロールに塵埃が入り込む溝ができない。
【０００９】
好ましくは、ロールの隣り合う巻回層位置に形成された前記切込みは、ロールの中心軸の周りに５°から１８０°の角度、さらに好ましくは、１０°〜９０°をなすように配置されている。この角度が小さすぎると、粘着テープロールの使用時において、テープがばらけやすくなる傾向にある。また、この角度が大きすぎると、粘着面が汚れた後に捨てる粘着テープの長さが長くなり過ぎ、材料の無駄になる。たとえば角度が１８０°以上の場合には、捨てる粘着テープの長さが一周半以上となり、半周の部分が汚れて無くても汚れている一周分の粘着テープと共に捨てることになる。
【００１０】
また、本発明では、好ましくは、粘着テープにおける粘着面が形成してある表面には、前記切込みに沿って少なくとも一部に、他の部分とは異なる色が着色してある。
【００１１】
上記構成によれば、粘着テープに、切込みに沿って他の部分とは異なる色が着色されているので、使用済みの粘着テープをはがすための位置を確認しやすい。
【００１２】
本発明に係る粘着テープロールの製造方法は、
上記に記載の粘着テープロールの製造方法であって、
帯状シート材料を一方のロール芯から他方のロール芯に巻取りつつ、前記帯状シート材料の、巻取られる際に外側となる片面の一定の幅に粘着材料を塗布して粘着テープを構成し、
帯状シート材料の巻取り方向に直交する方向または直交方向に対して斜めになる方向に、前記粘着材料を塗布した部分を含み、かつ粘着テープロールの軸方向の長さより長く、しかも帯状シート材料の幅より短くなるように所定の長さの切込みを入れ、
他方のロールに所定の長さ巻取った後、粘着テープロールの軸方向の長さ毎に裁断することを特徴とする。上記構成によれば、本発明に係る粘着テープロールを容易に製造できる。
【００１３】
【発明の実施の形態】
以下、本発明の実施形態を、図面に従って説明する。
【００１４】
図１（ａ）および（ｂ）には、本発明に係る粘着テープロールの斜視図が示される。図１（ａ）および（ｂ）において、粘着テープロール１０は、帯状のシート材料の片面側に粘着材料が塗られ、粘着面１４が形成された粘着テープ１２を、粘着面１４が外側に向くように巻回されて構成されている。
【００１５】
この粘着テープ１２には、粘着テープロール１０の軸方向一端側から他端側に達する切込み１６が、ロールの一周以上の長さを単位として、隣り合う巻回層位置で周方向に沿って異なる角度位置になるように形成してある。切込み１６は、粘着テープ１２を巻回する際に、後述するような手段により形成される。
【００１６】
粘着テープロールを回転させて、粘着テープロール１０の粘着面１４にゴミなどを付着させて掃除を行った後には、次のようにして行う。すなわち、図１（ａ）から図１（ｂ）に示すように、ロールを回転させて、ロールの最も外側巻回層位置に位置するテープ１２を剥がすと、次の切れ込み１６の位置で、使い済みの粘着テープ１２は、ロールから自動的に分離される。したがって、使用しやすい粘着テープロール１０を実現できる。また、切込み１６の位置が、ロール１０の一周以上の位置に形成してあり、しかも、ロール１０の隣り合う巻回層位置毎に異なっているので、ロール１０が使用中などにばらけることはなく、しかも粘着テープロール１０に塵埃が入り込む溝ができない。
【００１７】
さらに、粘着テープロール１０の隣り合う巻回層位置に形成された切込み１６は、ロール１０の中心軸の周りの角度θが５°から１８０°となるように、さらに好ましくは、１０°〜９０°となるように配置されている。この角度θが小さすぎると、粘着テープロール１０の使用時において、テープ１２がばらけやすくなる傾向にある。また、この角度θが大きすぎると、粘着面１４が汚れた後に捨てる粘着テープ１２の長さが長くなり過ぎ、材料の無駄になる。たとえば角度θが１８０°以上の場合には、捨てる粘着テープ１２の長さが一周半以上となり、半周の部分が汚れて無くても汚れている一周分の粘着テープと共に捨てることになる。
【００１８】
粘着テープ１２には、粘着面１４に、切込み１６に沿って他の部分とは異なる色に着色された部分を形成するのが好適である。これにより、粘着テープロール１０による掃除の後、使用済みで塵埃等の付着した粘着テープ１２を剥がすとき、どの位置から剥がせばよいかを容易に目視判断できる。通常、粘着テープ１２の軸方向両側の粘着面１４には、粘着材が塗布されていない部分が存在するので、その部分にのみ、切込み１６に沿って他の部分とは異なる色に着色された部分を形成しても良い。使用者は、その部分を最初につまんで、使用済みのテープ１２をロール１０から剥がすことになる。
【００１９】
図２には、図１に示された粘着テープロール１０の製造方法の説明図が示される。図２において、基材となる帯状シート材料２０が一方のロール芯２２から他方のロール芯２４に巻取られている。この場合の他方のロール芯２４が、製品である粘着テープロール１０の芯となってもよい。
【００２０】
上述のように帯状シート材料２０の巻取り動作中に、巻取られる際に外側となる片面の一定の幅Ｗの部分に、矢印２６で示された帯状シート材料２０の巻取り方向に沿って粘着材料２８が塗布され、粘着テープが構成される。この幅Ｗは、製品である粘着テープロール１０の幅と同じかこれより若干狭い幅としてもよい。粘着材料２８が塗布される部分は、矢印２６で示された方向に直交する方向に複数形成してもよい。これは、帯状シート材料２０の幅Ｌと上記幅Ｗとの関係等によって適宜決定される。
【００２１】
また、帯状シート材料２０の巻取り動作中に、矢印２６で示された方向に直交する方向に長さｌの切込み１６を入れる。この切込み１６は、矢印２６で示された方向に直交する方向に対して、多少斜めになる方向に形成してもよい。この切込み１６は、粘着材料２８を塗布した部分を含み、かつ長さｌが製品である粘着テープロール１０の軸方向の長さより長く帯状シート材料２０の幅Ｌより短くなるように形成する。この切込み１６は、帯状シート材料２０が他方のロール芯２４に巻取られる過程で、その一周分の長さより若干長い距離ｘ毎に形成される。
【００２２】
この結果、切込み１６は、製品である粘着テープロール１０の一周以上の長さを単位として、隣り合う巻回層位置で周方向に沿って異なる角度位置に形成される。すなわち、隣り合う巻回層位置毎で、切込み１６が、粘着テープロール１０の中心軸の周りに５°から１８０°、好ましくは１０°から９０°の角度をなすように配置されるよう、帯状シート材料２０に形成される切込み１６の相互の距離ｘが調整される。ロールは、半径方向に厚くなるほど、その周長さが長くなるので、常に、隣り合う巻回層位置毎で、切込み１６が、所定角度θで位置ずれするためには、切込み１６の相互の距離ｘは、巻回厚みに合わせて変化させる必要がある。そのためには、帯状シート材料２０の送り速度を一定にして、切り込みを入れるタイミングを制御すればよい。または、逆に切り込みを入れるタイミング速度を一定にして、帯状シート材料２０の送り速度を制御してもよい。
【００２３】
以上のようにして、他方のロール芯２４に製品である粘着テープロール１０の長さだけ帯状シート材料２０を巻取った後、帯状シート材料２０の幅Ｌに亘って帯状シート材料２０に切断切込み３０を入れて切断する。この後、他方のロール芯２４に巻取られた帯状シート材料２０を、粘着テープロール１０の軸方向の長さＳ毎に矢印３２で示される位置で裁断する。なお、このときの長さＳは前述の粘着材料２８の幅Ｗと同じでもよく、Ｗより若干長くてもよい。また、長さＳは切込み１６の長さｌより若干短くされている。
【００２４】
図３には、図１に示された粘着テープロール１０の他の製造方法の説明図が示され、図２と同一要素には同一符号が付されている。図３において、特徴的な点は、粘着材料２８が帯状シート材料２０の幅Ｌの全てに亘って塗布されている点である。これにより、粘着材料２８の塗布幅の調整が容易になり、粘着材料２８の塗布工程を簡略化することができる。
【発明の効果】
以上説明したように、本発明によれば、粘着テープに切込みが形成されているので、使用後に粘着テープをはがしやすい。また、切込みの位置がロールの各周毎に異なっているので、ロールがばらけることはなく、しかも粘着テープロールに塵埃が入り込む溝ができない。
【００２５】
また、粘着テープの粘着面に、切込みに沿って他の部分とは異なる色を着色された部分を形成することにより、使用済みの粘着テープをはがすための位置が確認しやすい粘着テープロールを実現できる。
【図面の簡単な説明】
【図１】本発明に係る粘着テープロールの斜視図である。
【図２】図１に示された粘着テープロールの製造方法の説明図である。
【図３】図１に示された粘着テープロールの他の製造方法の説明図である。
【符号の説明】
１  粘着テープロール、１２  粘着テープ、１４  粘着面、１６  切込み、１８  中心軸、２０  帯状シート材料、２２  一方のロール芯、２４  他方のロール芯、２６、３２  矢印、２８粘着材料、３０  切断切込み。
【図１】
2004261417.tif 000003
【図２】
2004261417.tif 000004
【図３】
2004261417.tif 000005